(57)【特許請求の範囲】
【請求項１】
絶縁基板に配線固定されたバスバーを有するバスバー基板と、上面に単芯線が布線された絶縁板とを備える積層基板において、
前記バスバーには、前記単芯線を含む他の回路に電気的に接続されるタブが形成されるとともに、前記絶縁板を前記バスバー基板に固定するための複数の圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことを特徴とする積層基板。
【請求項２】
絶縁基板に配線固定された複数のバスバーを有するバスバー基板と、上面に単芯線が布線された絶縁板とを備える積層基板において、
前記複数のバスバーのうち少なくとも２つのバスバーには、前記単芯線を含む他の回路に電気的に接続されるタブが形成されるとともに、前記絶縁板を前記バスバー基板に固定するための圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことを特徴とする積層基板。
【請求項３】
複数の絶縁基板にそれぞれ配線固定された複数のバスバーを有するバスバー基板と、上面に単芯線が布線された絶縁板とを備える積層基板において、
前記複数のバスバーのうち少なくとも２つのバスバーには、前記単芯線を含む他の回路に電気的に接続されるタブが形成されるとともに、前記絶縁板を前記バスバー基板に固定するための圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことを特徴とする積層基板。
【発明の詳細な説明】
【０００１】
【発明の属する技術分野】
本発明は、バスバーを有する積層基板に関するものである。
【０００２】
【従来の技術】
従来、例えば自動車用の種々の電送回路、電子部品等を収容するとともに、ワイヤハーネス等の接続分岐点として電気接続箱が用いられている。
【０００３】
電気接続箱の内部には、例えば図５に示される積層基板が収容されている。同図５に示されるように、積層基板５１は、バスバー積層基板５２と、絶縁板５３と、複数の単芯線５４とを備えている。
【０００４】
前記バスバー積層基板５２は内部回路の一部を構成するもので、複数の絶縁基板５６，５７，５８を有している。そして、絶縁基板５６，５７，５８が積み重ねられた状態において、絶縁基板５６の上側、各絶縁基板５６，５７，５８間、及び、絶縁基板５８の下側にはバスバー６１が配線固定されている。このバスバー６１には、その配線方向に対して垂直に屈曲された板状のバスバータブ６２、及び、挟持部６３ａを有して鋏状のバスバータブ６３が形成されている。
【０００５】
バスバー積層基板５２の上側には前記絶縁板５３が載置される。この絶縁板５３は、上記バスバータブ６３を含む範囲で絶縁基板５６の上側を覆うように板状に形成されており、同バスバータブ６３の位置に合わせてタブホルダ６６が形成されている。このタブホルダ６６には前記バスバータブ６３の幅よりも若干大きい幅にてタブ挿通孔６９が形成されている。そして、バスバー積層基板５２の上側に上記絶縁板５３を載置する際、上記バスバータブ６３は上記タブ挿通孔６９に挿入される。なおこのとき、前記挟持部６３ａの先端は、上記タブホルダ６６の上端から若干突出する。
【０００６】
前記タブホルダ６６のタブ挿通孔６９に挿入されたバスバータブ６３には、単芯線５４が布線される。このとき、単芯線５４は、上記のようにタブホルダ６６の上端から若干突出している挟持部６３ａの先端側から基端側へと案内される。この際、単芯線５４の絶縁被覆は挟持部６３ａによって削り取られ、同単芯線５４とバスバータブ６３（バスバー６１）とは電気的に接続される。
【０００７】
以上により、バスバー６１と単芯線５４とが電気的に接続され、絶縁板５３の上面に電気回路が構成され、前記積層基板５１に内部回路が構成される。
この積層基板５１は、図示しないアッパーケース及びロアケースで挟んで概ね固定した後、電気接続箱の内部に収容される。
【０００８】
【発明が解決しようとする課題】
ところで、このようにバスバー積層基板５２に絶縁板５３を載置した積層基板５１の場合、同絶縁板５３が単芯線５４とともに同バスバー積層基板５２から外れることがあり、単芯線５４の布線をやり直すなど著しい作業の遅延が生じることがあった。
【０００９】
また、電気接続箱の内部に収容される積層基板５１は、上記アッパーケース及びロアケースによって概略固定されるのみであるため、バスバー積層基板５２と絶縁板５３とがクリアランス等の範囲で互いにずれ、バスバー６１と単芯線５４との接続不良が生じることがあった。この場合においても、上記単芯線５４の布線をやり直すなどの処置が必要となり、作業の中断や遅延を余儀なくされていた。
【００１０】
一方、このような接続不良を防止するために、これらバスバー積層基板５２（絶縁基板５６）の側面と絶縁板５３の側面とを、例えば溶着にて固定する対策もとられていた。しかしこの場合には、溶着のための専用設備を必要とし、又、同溶着のために工数も増大することから、製造コストを増大を招いていた。更に、溶着を行うために積層基板５１に予め余分なスペースを確保しておく必要があり、同積層基板５１の大型化をも招いていた。
【００１１】
本発明の目的は、製造作業の中断や遅延を回避することができ、製造コストを低減することができ、更に小型化をすることができる積層基板を提供することにある。
【００１２】
【課題を解決するための手段】
上記目的を達成するために、請求項１に記載の発明は、絶縁基板に配線固定されたバスバーを有するバスバー基板と、上面に単芯線が布線された絶縁板とを備える積層基板において、前記バスバーには、前記単芯線を含む他の回路に電気的に接続されるタブが形成されるとともに、前記絶縁板を前記バスバー基板に固定するための複数の圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことをその要旨とする。
【００１３】
請求項２に記載の発明は、絶縁基板に配線固定された複数のバスバーを有するバスバー基板と、上面に単芯線が布線された絶縁板とを備える積層基板において、前記複数のバスバーのうち少なくとも２つのバスバーには、前記単芯線を含む他の回路に電気的に接続されるタブが形成されるとともに、前記絶縁板を前記バスバー基板に固定するための圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことをその要旨とする。
【００１４】
請求項３に記載の発明は、複数の絶縁基板にそれぞれ配線固定された複数のバスバーを有するバスバー基板と、上面に単芯線が布線された絶縁板とを備える積層基板において、前記複数のバスバーのうち少なくとも２つのバスバーには、前記単芯線を含む他の回路に電気的に接続されるタブが形成されるとともに、前記絶縁板を前記バスバー基板に固定するための圧入突起が前記タブとは別に形成され、前記絶縁板には該圧入突起に対応して突起圧入部が形成され、該絶縁板は該圧入突起が該突起圧入部に圧入されて収容されることにより前記バスバー基板上に固定されたことをその要旨とする。
【００１５】
【発明の実施の形態】
以下、本発明を電気接続箱内に収容される積層基板に具体化した一実施形態について図１〜図３に従って説明する。
【００１６】
図１は、本実施形態における積層基板を示す分解斜視図である。同図１に示されるように、積層基板１１は、バスバー基板としてのバスバー積層基板１２と、絶縁板１３と、複数の単芯線１４とを備えている。
【００１７】
前記バスバー積層基板１２は内部回路の一部を構成するもので、複数（３枚）の絶縁基板１６，１７，１８を有している。絶縁基板１６の外周部の上側及び下側（図２の上側及び下側）にはそれぞれリブ１６ａ，１６ｂが形成されており、絶縁基板１７，１８の外周部の下側（図２の下側）にはそれぞれリブ１７ａ，１８ａが形成されている。そして、絶縁基板１６，１７，１８が積み重ねられた状態において、上記リブ１６ｂ，１７ａにより形成される空間内、絶縁基板１６の上側及び絶縁基板１８の下側にはバスバー２１が配線固定されている。このバスバー２１には、その配線方向に対して垂直に屈曲された板状のバスバータブ２２、及び、挟持部２３ａを有して鋏状のバスバータブ２３が形成されている。なお、バスバータブ２２は、電子部品等と接続するためのものである。
【００１８】
又、絶縁基板１６の上側に配線固定されたバスバー２１には、その配線方向に対して垂直に屈曲された板状の圧入突起３１が形成されており（図１及び図２参照）、同絶縁基板１６の下側に配線固定されたバスバー２１には、同じく板状の圧入突起３２が形成されている（図１及び図３参照）。なお、これら圧入突起３１，３２の両端には、それぞれ先端に向かって細くなるようにガイド部としてのテーパー部３１ａ，３２ａが形成されている。
【００１９】
バスバー積層基板１２の上側には前記絶縁板１３が載置される。この絶縁板１３は、上記バスバータブ２３及び圧入突起３１，３２を含む範囲で絶縁基板１６の上側を覆うように板状に形成されており、同バスバータブ２３及び圧入突起３１，３２の位置に合わせてそれぞれ、タブホルダ３６及び突起圧入部３７，３８が形成されている。
【００２０】
図２及び図３に示されるように、タブホルダ３６は絶縁板１３から立設されており、その内壁面は外側から中央側に向かってなだらかに下降している。又、タブホルダ３６には前記バスバータブ２３の幅よりも若干大きい幅にてタブ挿通孔３９が形成されている。そして、バスバー積層基板１２の上側に上記絶縁板１３を載置する際、上記バスバータブ２３は上記タブ挿通孔３９に挿入される。なおこのとき、前記挟持部２３ａの先端は、上記タブホルダ３６の上端から若干突出している。
【００２１】
突起圧入部３７，３８は上記絶縁板１３から有蓋箱状に立設されており、その内壁面の幅は前記圧入突起３１，３２の幅にそれぞれ対応して形成されている。なお、各突起圧入部３７，３８の内壁面の下側には、それぞれ外側に向かって広がる他のガイド部としてのテーパー部３７ａ，３８ａが形成されている。そして、バスバー積層基板１２の上側に上記絶縁板１３を押圧することで、上記圧入突起３１，３２は上記突起圧入部３７，３８に挿入される。このとき、圧入突起３１，３２はそのテーパー部３１ａ，３２ａ及び突起圧入部３７，３８のテーパー部３７ａ，３８ａによって同突起圧入部３７，３８の内部に案内される。そして、圧入突起３１，３２がそれぞれ突起圧入部３７，３８に圧入されることで、絶縁板１３はバスバー２１（バスバー積層基板１２）上に固定される。
【００２２】
前記タブホルダ３６のタブ挿通孔３９に挿入されたバスバータブ２３には、単芯線１４が布線される。このとき、単芯線１４は、上記のようにタブホルダ３６の上端から若干突出している挟持部２３ａの先端側から基端側へと案内される。この際、単芯線１４の絶縁被覆は挟持部２３ａによって削り取られ、同単芯線１４とバスバータブ２３（バスバー２１）とは電気的に接続される。
【００２３】
以上により、バスバー２１と単芯線１４とが電気的に接続され、絶縁板１３の上面に電気回路が構成され、前記積層基板１１に内部回路が構成される。
この積層基板１１は、図示しないアッパーケース及びロアケースで挟んで概ね固定した後、電気接続箱の内部に収容される。
【００２４】
以上詳述したように、本実施形態によれば、以下に示す効果が得られるようになる。
（１）本実施形態では、絶縁板１３をバスバー積層基板１２側に押圧することで、圧入突起３１，３２は突起圧入部３７，３８に圧入され、同絶縁板１３は同バスバー積層基板１２上に確実に固定される。したがって、絶縁板１３がバスバー積層基板１２から外れたり、バスバー２１と単芯線１４との接続不良が生じたりして作業が中断したり遅延することを回避することができる。例えば、絶縁板１３がバスバー積層基板１２から外れると、単芯線１４もバスバータブ２３から外れてしまい、同単芯線１４の布線をやり直すために著しい作業の遅延が生じていたが、このような作業の遅延も回避することができる。
【００２５】
（２）例えば溶着により絶縁板１３をバスバー積層基板１２上に固定する場合において必要とされていた専用設備を不要とし、工数を低減することができる。これにより、製造コストを低減することができる。
【００２６】
（３）溶着を行うために積層基板１１に必要とされていた余分なスペースは不要となるため、同積層基板１１を小型化することができ、ひいては電気接続箱を小型化することができる。
【００２７】
（４）圧入突起３１，３２及び突起圧入部３７，３８にそれぞれテーパー部３１ａ，３２ａ，３７ａ，３８ａを形成したため、同突起圧入部３７，３８への同圧入突起３１，３２の圧入を同テーパー部３１ａ，３２ａ，３７ａ，３８ａに沿って円滑に行うことができる。
【００２８】
（５）バスバー２１及び単芯線１４を併用して内部回路を構成することができ、回路設計の自由度を増大することができる。
尚、本発明の実施の形態は上記実施形態に限定されるものではなく、次のように変更してもよい。
【００３０】
・前記実施形態においては、圧入突起３１，３２及び突起圧入部３７，３８にそれぞれテーパー部３１ａ，３２ａ，３７ａ，３８ａを形成したが、このようなテーパー部を圧入突起３１，３２及び突起圧入部３７，３８の一方にのみに形成するようにしてもよい。また、このようなテーパー部は必ずしもなくともよい。
【００３１】
・前記実施形態においては、絶縁基板１６の上側及び下側に配線固定されたバスバー２１にそれぞれ圧入突起３１，３２を形成したが、このような圧入突起３１，３２に代えて、若しくは、このような圧入突起３１，３２に加えて、絶縁基板１７の下側に配線固定されたバスバー２１や、図４に示されるように、絶縁基板１８の下側に配線固定されたバスバー２１に圧入突起４５を形成してもよい。このように形成された圧入突起を突起圧入部に圧入し、絶縁板１３をバスバー積層基板１２上に固定する場合、同絶縁板１３と同圧入突起が形成されたバスバー２１との間に挟まれた全てのバスバー２１等も併せ固定することができる。特に、図４に示されるように、最も下側にある絶縁基板１８の下側に配線固定されたバスバー２１の圧入突起４５により、絶縁板１３をバスバー積層基板１２上に固定する場合、上述のように併せ固定されるバスバー２１等の数を最多とすることができる。
【００３２】
・前記実施形態においては、絶縁基板１６の上側及び下側に配線固定されたバスバー２１にそれぞれ圧入突起３１，３２を形成したが、例えば絶縁基板１６の上側など、同一の層内に複数のバスバー２１が配線固定されている場合には、このような圧入突起を同一の層内において任意に選択した複数のバスバー２１に形成するようにしてもよい。
【００３３】
・前記実施形態においては、絶縁基板１６の上側及び下側に配線固定されたバスバー２１にそれぞれ圧入突起３１，３２を形成したが、このような圧入突起を任意に選択した１枚のバスバー２１にのみ複数形成するようにしてもよい。
【００３４】
・前記実施形態においては、圧入突起３１，３２を２個形成したが、これは複数であればいくつでもよい。
次に、以上の実施の形態から把握することができる請求項以外の技術的思想を、その効果とともに以下に記載する。
【００３５】
（イ）請求項１〜３のいずれか１に記載の積層基板において、前記圧入突起及び前記突起圧入部の少なくとも一方に圧入のためのガイド部を形成したことを特徴とする積層基板。
【００３６】
同構成によれば、上記突起圧入部への上記圧入突起の圧入は上記ガイド部に沿って円滑に行われる。
（ロ）請求項１〜３及び上記（イ）のいずれか１に記載の積層基板において、前記バスバーに形成されて前記絶縁板上に突出する複数のバスバータブに単芯線を布線して電気回路が構成されたことを特徴とする積層基板。
【００３７】
同構成によれば、バスバー及び単芯線を併用して内部回路が構成されるため、回路設計の自由度が増大される。又、上記絶縁板が上記単芯線とともに上記絶縁基板から外れたり、上記バスバーと単芯線との接続不良が生じたりすることは回避され、特に単芯線の布線をやり直すことで生じる著しい作業の遅延も回避される。
【００３８】
【発明の効果】
請求項１〜３に記載の発明では、絶縁板をバスバー基板側に押圧することで、圧入突起は突起圧入部に圧入され、同絶縁板は同バスバー基板上に確実に固定される。したがって、上記絶縁板が上記バスバー基板から外れて作業が中断したり遅延することを回避することができる。
【００３９】
又、溶着により上記絶縁板を上記バスバー基板上に固定する場合において必要とされていた専用設備を不要とし、工数を低減することができる。これにより、製造コストを低減することができる。
【００４０】
更に、上記溶着のために積層基板に必要とされていた余分なスペースは不要となるため、同積層基板を小型化することができる。
【図面の簡単な説明】
【図１】本発明に係る積層基板の一実施形態を示す分解斜視図。
【図２】同実施形態の断面図。
【図３】同実施形態の断面図。
【図４】本発明に係る積層基板の他の実施形態を示す断面図。
【図５】従来の積層基板を示す分解斜視図。
【符号の説明】
１１…積層基板、１２…バスバー基板としてのバスバー積層基板、１３…絶縁板、１４…単芯線、１６，１７，１８…絶縁基板、２１…バスバー、２２，２３…タブとしてのバスバータブ、３１，３２，４５…圧入突起、３７，３８…突起圧入部。
【図１】
0003680603.tif 000002
【図２】
0003680603.tif 000003
【図３】
0003680603.tif 000004
【図４】
0003680603.tif 000005
【図５】
0003680603.tif 000006